(57)【要約】【課題】外した眼鏡を簡単に置いておくことができ、ディスプレイ用としても使用できる展示や回収等の取り扱いが容易な眼鏡スタンドを提供する。【解決手段】この考案の眼鏡スタンドは、可撓性を有するシート状の本体２の左右両端側に、本体２を筒状に折曲げた状態で固定する固定部９を設けている。本体２の下縁部３は筒状の固定状態で本体２が平面上に接地して安定的に起立する形状の接地部１２としている。上縁部４には筒状に固定した起立状態においてテンプル２２を折畳んだ状態のフレーム２３を載置して正面側に展示するように安定的に支持する凹凸からなるフレーム支持部１３を形成している。  本体２を筒状に折曲げた際に、重なり合う重ね合わせ面に、スナップ又はベルベットファスナーを設けることによって、固定部９を係脱自在な係止部としている。【選択図】図２
0003123319.tif 000002
【実用新案登録請求の範囲】
【請求項１】
可撓性を有するシート状の本体（２）の左右両端側に、本体（２）を筒状に折曲げた状態で固定する固定部（９）を設け、上記本体（２）の下縁部（３）は筒状の固定状態で本体（２）が平面上に接地して安定的に起立する形状の接地部（１２）とし、上縁部（４）には筒状に固定した起立状態においてテンプル（２２）を折畳んだ状態のフレーム（２３）を載置して正面側に展示するように安定的に支持する凹凸からなるフレーム支持部（１３）を形成してなる眼鏡スタンド。
【請求項２】
固定部（９）が本体（２）の両端側を係脱自在に係止する係止部である請求項１の眼鏡スタンド。
【請求項３】
固定部（９）が、本体（２）を筒状に折曲げた際に重なり合う重ね合わせ面に設けたスナップ又はベルベットファスナーである請求項１又は２の眼鏡スタンド。
【請求項４】
折曲げ状態で固定した本体（２）が裁頭円錐筒形状となる請求項１，２又は３の眼鏡スタンド。
【請求項５】
筒状の固定状態で接地部（１２）の少なくとも正面側及び両側が全体として平面視Ｃ形状に載置平面上に接地するように、本体（２）の展開状態における接地部（１２）が円弧状に湾曲した形状である請求項１，２，３又は４の眼鏡スタンド。
【請求項６】
本体（２）を筒状に固定して平面上に起立させた状態で、フレーム（２３）と折畳まれたテンプル（２２）との間に挿通される中央の山形の凸部（６）と、該凸部（６）の両側の谷形の凹部（７）と、該凹部（７）の外側に山形に突出する固定部（９）設置用の凸部（８）とにより、フレーム支持部（１３）が本体（２）展開状態においてＷ形の切欠形状を形成した請求項１，２，３，４又は５の眼鏡スタンド。
【請求項７】
本体（２）を円筒状に折曲げ固定して平面上でフレーム（２３）を支持する際に、折畳まれたテンプル（２２）が谷形の凹部（７）の周縁上に載置又は掛止されて支持される形状に谷形の凹部（７）を形成した請求項６の眼鏡スタンド。
【請求項８】
円筒状に折曲げ固定した本体（２）の円筒状周面の少なくとも正面側が広告その他の表示部（１１）となる請求項１，２，３，４，５，６又は７の眼鏡スタンド。
【考案の詳細な説明】
【技術分野】
【０００１】
本考案は、外した眼鏡を簡単に置いておくことができ、ディスプレイ用としても使用できる展示や回収等の取り扱いが容易な眼鏡スタンドに関する。
【背景技術】
【０００２】
従来の眼鏡スタンドとしては、基台２に支柱３が斜めに設けられた支持部材４と、眼鏡のレンズ枠嵌挿用の中空部７（孔）を備えた眼鏡置き部５とからなる眼鏡スタンドが知られている（例えば、特許文献１参照。）。
【０００３】
【特許文献１】登録実用新案第３１０２８２７号公報
【考案の開示】
【考案が解決しようとする課題】
【０００４】
しかし上記特許文献１の眼鏡スタンドは、顔への着用状態のまま背面側を正面にして載置するのでユーザーに対しては実用的であるものの、店頭等でのディスプレイには不向きであった。
また使用不使用に拘らず常に組立てられた状態であるので、設置スペースを必要とするほか、搬送や保管の際には余分なスペースを必要とし、嵩張るという問題があった。
この考案は、これらの課題を解決し又は改善し、ディスプレイ用として使用でき且つ展示や回収等の取り扱いが容易な眼鏡スタンドを提供するものである。
【課題を解決するための手段】
【０００５】
上記課題を解決するための本考案の眼鏡スタンドは、第１に、可撓性を有するシート状の本体２の左右両端側に、本体２を筒状に折曲げた状態で固定する固定部９を設け、上記本体２の下縁部３は筒状の固定状態で本体２が平面上に接地して安定的に起立する形状の接地部１２とし、上縁部４には筒状に固定した起立状態においてテンプル２２を折畳んだ状態のフレーム２３を載置して正面側に展示するように安定的に支持する凹凸からなるフレーム支持部１３を形成してなることを特徴としている。
【０００６】
第２に、固定部９が本体２の両端側を係脱自在に係止する係止部であることを特徴としている。
【０００７】
第３に、固定部９が、本体２を筒状に折曲げた際に重なり合う重ね合わせ面に設けたスナップ又はベルベットファスナーであることを特徴としている。
【０００８】
第４に、折曲げ状態で固定した本体２が裁頭円錐筒形状となることを特徴としている。
【０００９】
第５に、筒状の固定状態で接地部１２の少なくとも正面側及び両側が全体として平面視Ｃ形状に載置平面上に接地するように、本体２の展開状態における接地部１２が円弧状に湾曲した形状であることを特徴としている。
【００１０】
第６に、本体２を筒状に固定して平面上に起立させた状態で、フレーム２３と折畳まれたテンプル２２との間に挿通される中央の山形の凸部６と、該凸部６の両側の谷形の凹部７と、該凹部７の外側に山形に突出する固定部９設置用の凸部８とにより、フレーム支持部１３が本体２展開状態においてＷ形の切欠形状を形成したことを特徴としている。
【００１１】
第７に、本体２を円筒状に折曲げ固定して平面上でフレーム２３を支持する際に、折畳まれたテンプル２２が谷形の凹部７の周縁上に載置又は掛止されて支持される形状に谷形の凹部７を形成したことを特徴としている。
【００１２】
第８に、円筒状に折曲げ固定した本体２の円筒状周面の少なくとも正面側が広告その他の表示部１１となることを特徴としている。
【考案の効果】
【００１３】
以上のように構成される本考案の眼鏡スタンドは、眼鏡の展示状態が顔への着用状態に近いので、着用時の印象を示したディスプレイを可能とするなど展示効果に優れている。また搬送や保管の際に展開状態（シート状）にすることができるので、取り扱いが容易で、店頭等の現場で簡単に組立てることができるほか、展示後の回収も容易である。
【００１４】
さらに組立てた状態が裁頭円錐筒形状であるので、眼鏡を安定して載置又は掛止することができる。また正面側に広告その他の表示部を設けたので、広告宣伝に利用することができるほか、展示中の眼鏡の商品説明を表示することもできる。
【考案を実施するための最良の形態】
【００１５】
以下本考案の眼鏡スタンドを図１の外面展開図に基づき説明する。眼鏡スタンド１は皮革等の可撓性を有するシート状の本体２により形成されており、該本体２は円弧状に湾曲した下縁部３と、凹凸状の上縁部４とから構成されている。
【００１６】
上縁部４には、中央の山形の凸部６と、該凸部６の左右両側の谷形の凹部７，７と、該凹部７，７の外側に凸部８，８が突出形成され、本体２は展開状態において略Ｗ形の切欠形状となるように構成されている。
【００１７】
凸部８，８には、後述するように本体２を筒状に折曲げた状態で固定する固定部９，９が設けられている。この例では固定部９，９は係脱可能に係止固定できるスナップを用いている。１１は広告その他の表示部である。
【００１８】
次に図２〜４に基づき眼鏡スタンドの組立方法について説明する。図２〜４はそれぞれ眼鏡Ｇを載置又は掛止支持した状態を示す正面図，背面図，側面斜視図である。本体２は可撓性を有しているので、凸部８，８を持って筒状に折曲げ、互いの凸部８，８を重ね合わせ、その重ね合わせ面に形成された固定部９，９によって係止固定する。この例では固定部９，９は容易に脱着が可能なスナップを用いている。
【００１９】
そして使用時には下縁部３は載置面上に接地して安定的に起立する形状の接地部１２として構成されている。該接地部１２となる下縁部３の展開状態における円弧は、起立状態を安定して保持できるように設定されている。
【００２０】
また筒状の固定状態で起立させた状態では、接地部１２の少なくとも正面側及び左右両側が全体として平面視でＣ形状となるように構成されている。また筒状に折曲げて固定し起立させた本体２は図示するように全体として裁頭円錐形状となっている。
【００２１】
以上のように構成された眼鏡スタンド１の使用方法について説明する。図示するように眼鏡Ｇは、ヒンジ部２１を介してテンプル２２を内面側に折畳んだ状態のフレーム２３を載置又は掛止支持する構成となっている。
【００２２】
よって眼鏡Ｇを展示する際には、フレーム２３と折畳まれたテンプル２２との間に、起立固定状態の眼鏡スタンド１の凸部６を挿通し、眼鏡Ｇのレンズ側が正面側となるように展示する。この時、凸部６の正面側に眼鏡Ｇのパッド２４（鼻当て）が当接し、凹部７に折畳まれたテンプル２２とテンプル２２先端の湾曲部２２ａ（耳に掛ける部分）とが当接することによって、眼鏡Ｇを安定して載置又は掛止支持することができる。
【００２３】
本体２を円筒状に折曲げて固定し、眼鏡Ｇを載置する際に、谷形の凹部７の周縁部によって折畳み状態のテンプル２２を安定して支持できるように、上縁部４に形成された凹部７，７の形状が設定されている。そして凸部６，凹部７，凸部８から構成されるフレーム支持部１３によって、眼鏡Ｇのフレーム２３及び折畳まれたテンプル２２を支持する構成となっている。
【００２４】
本考案の眼鏡スタンド１の用途は、常設の眼鏡の販売店において、眼鏡を展示販売するスタンドとして利用することができる。またスーパーや駅構内等の臨時の販売スペースで眼鏡を販売する際には、展開状態（シート状）で持ち運び、使用時にワンタッチで組立てることができるので、展示販売用のスタンドとしても利用することができる。さらに寝室の枕元等に置いて、眼鏡の使用者自身の眼鏡置きとしても用いることができるほか、公共施設での老眼鏡の眼鏡置きとしても利用できる。
【００２５】
以上のように構成される眼鏡スタンド１は、上記態様に限らず自由に変更可能であり、可撓性を有するシート状の本体２は、皮革に限らず合成樹脂，紙などの可撓性を有する材料を用いることもできる。また凸部８に形成された固定部９は、スナップのほか、容易に着脱可能なベルベットファスナー等を使用することもできる。
【図面の簡単な説明】
【００２６】
【図１】本考案の眼鏡スタンドの外面展開図である。
【図２】本考案の眼鏡スタンドの使用状態を示す正面図である。
【図３】本考案の眼鏡スタンドの使用状態を示す背面図である。
【図４】本考案の眼鏡スタンドの使用状態を示す側面斜視図である。
【符号の説明】
【００２７】
１    眼鏡スタンド
２    本体
３    下縁部
４    上縁部
６    凸部
７    凹部
８    凸部
９    固定部
１１  表示部
１２  接地部
１３  フレーム支持部
２２  テンプル
２３  フレーム
Ｇ    眼鏡
【図１】
0003123319.tif 000003
【図２】
0003123319.tif 000004
【図３】
0003123319.tif 000005
【図４】
0003123319.tif 000006
【手続補正書】
【提出日】平成18年4月26日(2006.4.26)
【手続補正１】
【補正対象書類名】図面
【補正対象項目名】図１
【補正方法】変更
【補正の内容】
【図１】
0003123319.tif 000007
【手続補正２】
【補正対象書類名】図面
【補正対象項目名】図２
【補正方法】変更
【補正の内容】
【図２】
0003123319.tif 000008